(57)【特許請求の範囲】
【請求項１】
光源の光を用いて画像を投射する画像投射部と、
前記光源への供給電力を制御する電力制御部と、
前記電力制御部へ出力される指令信号の制御を行うシステム制御部と、
揮発性メモリと、
前記揮発性メモリに記憶されたデータを記憶する不揮発性メモリと、
外部電源から前記電力制御部への供給電圧を生成するために用いられるコンデンサを備えた電源部と、
前記システム制御部と前記電力制御部との間にスイッチ部とを有し、
前記システム制御部は、前記外部電源が遮断した場合に、前記コンデンサの蓄積電荷により生成された電圧を利用して、前記光源を消灯させるための動作を行った後に、前記揮発性メモリ内のデータを前記不揮発性メモリに記憶させ、
前記スイッチ部は、前記電源部に設けられた入力電圧レベル検知部が外部電源の遮断に応じて出力する信号により、前記システム制御部と前記電力制御部との間を遮断することを特徴とする投射型表示装置。
【発明の詳細な説明】
【技術分野】
【０００１】
本発明は、光源の光を用いて画像を投射する投射型表示装置に係り、特に、外部電源が強制的に遮断したとき、揮発性メモリのデータを不揮発性メモリへ記憶させる投射型表示装置に関する。
【背景技術】
【０００２】
プロジェクタを使用するとき、明るさや色味、コントラスト、言語設定等、ユーザが個別で設定できる内容がある。また、ランプ点灯時間や点灯回数、エラー内容等、プロジェクタのシステムが独自に更新して保持している内容がある。
【０００３】
これらのデータは、一旦、揮発性メモリであるＲＡＭ（Random Access Memory）に記憶される。揮発性メモリに記憶されたデータは、一定時間毎にまとめて、不揮発性メモリであるＥＥＰＲＯＭ（Electrically Erasable Programmable Read Only Memory）やＦＬＡＳＨ−ＥＥＰＲＯＭに記憶される。このような制御を行うのは、不揮発性メモリが揮発性メモリに比べてアクセススピードが遅く、書き換え回数にも制限があるためである。
【０００４】
入力電源が遮断したとき、揮発性メモリ上のデータは消失する。しかし、揮発性メモリに記憶されたデータは、定期的に不揮発性メモリに記憶されている。このため、次に入力電源が供給されたときは、不揮発性メモリ上からデータが読み込まれ、元のデータが復元されることになる。ところが、揮発性メモリのデータが更新されてから不揮発性メモリに記憶される前に、入力電源が強制的に遮断された場合が問題となる。この場合、記憶されなかったデータは、次に入力電源が供給されるようになっても復元されない。
【０００５】
このため、従来のプロジェクタでは、バックアップ用のサブ電源として、充放電可能な二次電池や電気二重層コンデンサ等を備えていた。プロジェクタがバックアップ用のサブ電源を備えることにより、入力電源の遮断が検知された場合にはバックアップ用のサブ電源から電源が供給される。そして、バックアップ用のサブ電源からの電源が供給されている間に、揮発性メモリのデータは不揮発性メモリに記憶される（特許文献１、特許文献２参照）。
【特許文献１】特開昭５８−１０８９３２号公報
【特許文献２】特許第３１１３４８６号公報
【発明の開示】
【発明が解決しようとする課題】
【０００６】
しかしながら、バックアップ用のサブ電源を備える投射型表示装置は、サブ電源を備えるためにコストがアップする。また、基板上の実装面積が削減され、サブ電源用の部品が増えることにより、プロジェクタとしての信頼性も低下することになる。
【０００７】
そこで本発明は、バックアップ用のサブ電源を備えていなくても、外部電源が遮断したときに、揮発性メモリ上のデータを不揮発性メモリに確実に記憶させることができる投射型表示装置を提供する。
【０００８】
また本発明は、バックアップ用のサブ電源を備えている投射型表示装置においては、外部電源が遮断したとき、バックアップできる時間をより長くできる、あるいはバックアップ用のサブ電源を小型化できる投射型表示装置を提供することにある。
【課題を解決するための手段】
【０００９】
上記目的を達成するため、本発明の投射型表示装置のうち代表的な一つは、光源の光を用いて画像を投射する画像投射部と、前記光源への供給電力を制御する電力制御部と、前記電力制御部へ出力される指令信号の制御を行うシステム制御部と、揮発性メモリと、前記揮発性メモリに記憶されたデータを記憶する不揮発性メモリと、外部電源から前記電力制御部への供給電圧を生成するために用いられるコンデンサを備えた電源部と、前記システム制御部と前記電力制御部との間にスイッチ部とを有し、前記システム制御部は、前記外部電源が遮断した場合に、前記コンデンサの蓄積電荷により生成された電圧を利用して、前記光源を消灯させるための動作を行った後に、前記揮発性メモリ内のデータを前記不揮発性メモリに記憶させ、前記スイッチ部は、前記電源部に設けられた入力電圧レベル検知部が外部電源の遮断に応じて出力する信号により、前記システム制御部と前記電力制御部との間を遮断することを特徴とする。
【００１２】
本発明のその他の特徴については、以下の実施例において説明される。
【発明の効果】
【００１３】
本発明によれば、電源部に設けられたコンデンサを利用して揮発性メモリのデータを不揮発性メモリに記憶させるため、低コストで信頼性の高い投射型表示装置を提供することができる。
【発明を実施するための最良の形態】
【００１４】
以下、本発明の実施例及び参考例について、図面を参照しながら詳細に説明する。
［参考例１］
【００１５】
図１に、本参考例の投射型表示装置であるプロジェクタ１００のブロック図を示す。
【００１６】
まず、プロジェクタ１００の構成を説明する。１は、プロジェクタ１００の光源として用いられる放電ランプである。２は、放電ランプ１の点灯制御及び定電力制御を行うバラスト（電力制御部）である。バラスト２は、放電ランプ１への供給電力を安定させるために、放電ランプ１と電源部４との間に設けられている。３は、システム制御部である。システム制御部３は、バラスト２へのランプ点灯指令信号の出力制御を行う。バラスト２は、システム制御部３から出力されたランプ点灯指令信号に基づいて、放電ランプ１の制御を行う。また、システム制御部３は、プロジェクタ１００に接続されるＰＣやビデオ機器等から受信した投射画像信号の信号処理や、後述する画像投射部６の一部であるライトバルブ（例えば、液晶パネル）へ送信する画像信号の生成を行う。３１は、システム制御部３の内部に設けられているＲＡＭ（RandomAccess Memory）等の揮発性メモリである。揮発性メモリ３１は、諸々の設定データを一時的に記憶するためのメモリである。３２は、ＥＥＰＲＯＭ（Electrically Erasable Programmable Read Only Memory）やＦＬＡＳＨ−ＥＥＰＲＯＭ等の不揮発性メモリである。不揮発性メモリ３２は、揮発性メモリ３１に一時的に記憶されたデータを記憶することにより、このデータを保持するためのメモリである。
【００１７】
７は、外部電源であるＡＣ電源（例えば、ＡＣ１００Ｖ）から電力を供給するためのＡＣ電源入力部である。
【００１８】
４は、ＡＣ電源入力部７から入力されたＡＣ入力電圧に基づいて、プロジェクタ１００の各部への供給電圧を生成する電源部である。電源部４は、ＡＣ電源入力部７を介して供給されるＡＣ電源に基づいて、バラスト２へ供給するためのＤＣ３７０Ｖ電源、及び、システム制御部３へ供給するための各種定電圧電源（ＤＣ５Ｖ、ＤＣ１２Ｖ等）を生成する。４１は、電源部４に設けられた入力電圧レベル検知部である。入力電圧レベル検知部４１は、ＡＣ電源入力部７から供給されたＡＣ入力電圧が所定の電圧値より高いか低いかを検知して、この検知結果に基づいて、ＡＣ入力電圧検知信号を出力する。
【００１９】
６は、システム制御部３から出力された画像信号に基づき、放電ランプ１の照射光を用いて、図示しない被投射面（スクリーン）に投射するための画像投射部である。
【００２０】
次に、プロジェクタ１００の動作について説明する。
【００２１】
ＡＣ電源入力部７をＡＣ電源に接続すると、電源部４により生成された電源が、プロジェクタ１００の各部に供給される。
【００２２】
システム制御部３は、電源部４から電源が供給されると、プロジェクタ１００の各部の初期化処理を行う。また、システム制御部３は、不揮発性メモリ３２に記憶されている設定データを揮発性メモリ３１に読み込む。
【００２３】
ユーザが操作部（図示なし）よりプロジェクタ１００のランプ点灯操作を行うと、システム制御部３は、バラスト２へランプ点灯指令信号を出力する。このとき、スイッチ部５は、通常、導通状態となっている。バラスト２は、システム制御部３から出力されたランプ点灯指令信号に基づき放電ランプ１を点灯させる。また、バラスト２は、放電ランプ１が定電力で点灯し続けるよう定電力制御を行う。
【００２４】
システム制御部３は、プロジェクタ１００に接続されるＰＣやビデオ機器等から受信した投射画像信号の信号処理を行い、画像投射部６の一部である液晶パネル等のライトバルブへ画像信号を出力する。ライトバルブ（図示なし）に表示された画像は、放電ランプ１の照射光でスクリーン（図示なし）に投射される。
【００２５】
システム制御部３は、入力電圧レベル検知部４１から出力されるＡＣ入力電圧検知信号がパルス信号の場合、ＡＣ入力電圧が正常に電源部４に入力されていると判断し、特別な処理は行わない。
【００２６】
ＡＣ電源入力部７がＡＣ電源から引き抜かれると、プロジェクタ１００に供給されるＡＣ電源は、強制的に遮断される。ＡＣ電源が遮断されたことにより、プロジェクタ１００の電源部４へＡＣ入力電圧が供給されなくなると、入力電圧レベル検知部４１は、ＡＣ入力電圧が所定の基準電圧（ＡＣ７０Ｖ）より低くなったと判断する。このとき、入力電圧レベル検知部４１は、システム制御部３に対して、ハイレベルのＡＣ入力電圧検知信号を出力する。システム制御部３は、入力電圧レベル検知部４１からのＡＣ入力電圧検知信号がハイレベル信号のとき、バラスト２へ出力されるランプ点灯指令信号を遮断する。すなわち、システム制御部３はランプ点灯指令信号を出力しない。システム制御部３でのこのようなランプ消灯制御は、マイコンのプログラムにより実行される。
【００２７】
システム制御部３は、その後、揮発性メモリ３１内の設定データを不揮発性メモリ３２へ記憶させる。再度、プロジェクタ１００の電源部４にＡＣ入力電圧が供給されると、不揮発性メモリ３２へ記憶されていた設定データが揮発性メモリ３１に読み込まれる。このような制御により、プロジェクタ１００の外部電源が供給された場合には、外部電源が遮断される直前の設定データが反映されることになる。
【００２８】
このように本参考例では、プロジェクタ１００の電源部４へＡＣ入力電圧が供給されなくなると、システム制御部３はランプ点灯指令信号を遮断する。なお、システム制御部３でのランプ消灯制御は、マイコンのプログラムを介して行われる。
【００２９】
次に、プロジェクタ１００の電源部４の構成及び動作について説明する。プロジェクタ１００の電源部４のブロック図を図２に示す。また、図２中の位置Ａ、Ｂ、Ｃにおける代表的な電圧波形図（Ｖ−ｔ特性）を図３に示す。
【００３０】
電源部４は、入力電圧レベル検知部４１、ＡＣフィルタ回路４２、ダイオードブリッジ４３、昇圧回路４４、二次電源生成回路４５、分圧抵抗４６、４７、及び、コンデンサ４８を有する。また、入力電圧レベル検知部４１は、レベル比較回路４１１、基準電圧４１２、フォトカプラ４１３、及び、ドライバ４１４を有する。
【００３１】
ＡＣ電源入力部７から入力されたＡＣ入力電圧は、ＡＣフィルタ回路４２により外部からのノイズ成分がカットされる。このときの代表的な波形図は、図３の波形Ａとして示される。縦軸が電圧（Ｖ）であり、横軸が時間（ｔ）である。ＡＣフィルタ回路４２によりノイズ成分がカットされたＡＣ入力電圧は、ダイオードブリッジ４３により全波整流される。このときの代表的な波形図は、図３の波形Ｂとして示される。ダイオードブリッジ４３で全波整流された電圧は、昇圧回路４４により３７０Ｖの直流電圧に昇圧される。
【００３２】
コンデンサ４８は、３７０Ｖの直流電圧を平滑するための一次平滑コンデンサとして動作する。同時に、コンデンサ４８は、瞬時停電の際に放電ランプ１を保護するように動作する。またコンデンサ４８は、ＡＣ電源からバラスト２への供給電圧を生成するために用いられる。
【００３３】
コンデンサ４８により平滑化された３７０Ｖの直流電圧は、そのままランプ点灯用電源として、バラスト２に供給される。また、この直流電圧は、二次電源生成回路４５に供給される。二次電源生成回路４５において、各種二次電源が生成される。これらの二次電源は、システム制御部３の各部における定電圧電源（ＤＣ５Ｖ、ＤＣ１２Ｖ等）として、システム制御部３へ供給される。
【００３４】
入力電圧レベル検知部４１は、ダイオードブリッジ４３で整流された電圧（図３波形Ｂ）を監視する。入力電圧レベル検知部４１に設けられたレベル比較回路４１１は、ダイオードブリッジ４３の出力電圧を分圧抵抗４６、４７で分圧した電圧と、基準電圧４１２と、をレベル比較回路４１１により比較する。
【００３５】
整流されたＡＣ入力電圧が基準電圧４１２より高い場合、レベル比較回路４１１はハイレベルの信号を出力する。このため、ＡＣ入力電圧のピーク値（図３波形Ａ）が基準電圧（図３波形Ｂ）として設定された所定の電圧値より高い場合、レベル比較回路４１１からは方形波パルスが出力される（図３波形Ｃ）。この方形波パルスは、ＡＣ入力電圧の整流後の電圧と基準電圧との比較に基づくため、ＡＣ入力電圧の周波数の２倍の周期となっている。
【００３６】
一方、整流されたＡＣ入力電圧が基準電圧４１２より低い場合、レベル比較回路４１１はローレベルの信号を出力する。
【００３７】
レベル比較回路４１１の出力電圧（図３波形Ｃ）は、フォトカプラ４１３を介して一次電源系から二次電源系へ伝達される。フォトカプラ４１３から出力された信号は、ドライバ４１４を介して、システム制御部３及びスイッチ部５へ入力される。
【００３８】
ここで、ドライバ４１４は、ＭＯＳＦＥＴ等のスイッチング素子を有している。本参考例のスイッチング素子は、ローレベルの信号が入力されたときに導通し、ハイレベルの信号が入力されたときに遮断する特性を備える。このため、ＡＣ入力電圧のピーク値が基準電圧より小さい場合には、ドライバ４１４からは一定のハイレベルの信号が出力される。
【００３９】
この後のシステム制御部３及びスイッチ部５の動作は前述したとおりである。
【００４０】
次に、システム制御部３における処理方法について説明する。
【００４１】
図４は、システム制御部３におけるＡＣ入力電圧検知信号についてのＭＡＩＮ処理ルーチンを示すフローチャートである。プロジェクタ１００のＡＣ電源が入力されると（Ｓ４０１）、初期値として“pulse_count=0”をセットする（Ｓ４０２）。また、４０ｍｓｅｃ周期のタイマをスタートさせ（Ｓ４０３）、ＭＡＩＮルーチン（Ｓ４０４）の処理に入る。ここで、“pulse_count”は、ＡＣ入力電圧が所定の値より高いときにドライバ４１４から出力されるパルス信号が、エッジ割込みとしてシステム制御部３にて検出された回数を示す。エッジ検出は、立上りエッジで検出しても良いし、立下りエッジで検出してもよい。また、立上りエッジ及び立下りエッジの両方で検出することもできる。
【００４２】
システム制御部３は、４０ｍｓｅｃ周期のタイマ期間にＡＣ入力電圧検知信号によるパルス割り込みが一度も発生しないとき、ＡＣ電源の入力が遮断されたと判定する。なお、本参考例のタイマの周期は４０ｍｓｅｃに設定されているが、特にこれに限られない。本参考例において、４０ｍｓｅｃという値は、瞬時停電や瞬時電圧降下に耐えるのに必要な時間を考慮して設定されている。ただし、プロジェクタの仕様等、その他の条件により、４０ｍｓｅｃより長い期間を設定したタイマ、または、４０ｍｓｅｃより短い期間を設定したタイマを用いることもできる。
【００４３】
図５は、ＡＣ入力電圧検知信号のパルス信号によるエッジ割込みのカウント処理ルーチンを示すフローチャートである。ＡＣ入力電圧が所定の値（本参考例ではＡＣ７０Ｖ）より高いときは、ドライバ４１４から出力されるパルス信号がシステム制御部３に入力される。パルス信号はエッジ割込みとして処理される（Ｓ４１１）。また、割込み回数をカウントするための”pulse_count”がインクリメントされる（Ｓ４１２）。
【００４４】
図６は、ＡＣ電源の入力が遮断されたときの処理ルーチンを示すフローチャートである。ＡＣ電源の入力遮断時の処理は、４０ｍｓｅｃ周期のタイマ割込みとして処理される（Ｓ４２１）。まず、４０ｍｓｅｃの期間中に、ドライバ４１４からのパルスエッジ割込みがあったか否かが判断される（Ｓ４２２）。ここで、パルスエッジ割込みが一度でも発生していた場合は、ＡＣ電源が入力されていると判定される。このとき、”pulse_count”を０クリアして（Ｓ４２３）、割り込みルーチンを抜ける。
【００４５】
一方、４０ｍｓｅｃの期間中に、パルスエッジ割込みが一度も発生しなかった場合は、ＡＣ電源が遮断されたと判定される。ＡＣ電源が遮断された直後には、電源部４に設けられたコンデンサ４８に十分な電荷が蓄積されている。このため、コンデンサ４８の蓄積電荷により生成された電圧を利用して、揮発性メモリ３１内のデータを不揮発性メモリ３２へ記憶させることができる。コンデンサ４８は、瞬時停電の際に放電ランプ１を有効に保護するため、大きな容量を備えている。しかし、ランプ点灯指令信号の出力を維持すると、コンデンサ４８に蓄積された電荷は短期間に放電してしまう。
【００４６】
そこで、本参考例では、まず、ランプ点灯指令信号の出力を遮断する（Ｓ４２４）。ランプ点灯指令信号が遮断することにより、放電ランプ１は消灯する。このため、コンデンサ４８には、揮発性メモリ３１内のデータを不揮発性メモリ３２へ記憶させるのに十分な電荷量を確保することができる。ランプ点灯指令信号を遮断した後、揮発性メモリ３１に対して現在の状態を示すデータを更新し（Ｓ４２５）、揮発性メモリ３１内のデータを不揮発性メモリ３２へ記憶させる（Ｓ４２６）。次に、”pulse_count”を０クリアして（Ｓ４２７）、通常のランプ消灯後の処理へジャンプする（Ｓ４２８）。
[実施例１]
【実施例１】
【００４７】
次に、本発明の実施例１について説明する。
【００４８】
図７に、本実施例の投射型表示装置であるプロジェクタ２００のブロック図を示す。本実施例において、参考例１の構成及び動作と同様の部分についての説明は省略し、参考例１と異なる部分だけ説明する。
【００４９】
本実施例の構成は、システム制御部３とバラスト２との間にスイッチ部５を設けた点で、参考例１の構成とは異なる。
【００５０】
スイッチ部５は、ＭＯＳＦＥＴやトランジスタ等のハード回路として形成される。スイッチ部５は、オン／オフ動作により、システム制御部３からバラスト２へ出力されるランプ点灯指令信号の伝達を制御する。すなわちスイッチ部５は、電源部４に設けられた入力電圧レベル検知部４１からのＡＣ入力電圧検知信号に基づいて、システム制御部３とバラスト２の間を導通又は遮断する。
【００５１】
プロジェクタ２００の動作中、電源部４に入力されるＡＣ入力電圧が所定の基準電圧（例えば、ＡＣ７０Ｖ）より高い場合、入力電圧レベル検知部４１は、システム制御部３及びスイッチ部５へ、所定のＡＣ入力電圧検知信号を出力する。本実施例では、このときのＡＣ入力電圧検知信号は、ローレベルとハイレベルを繰り返すパルス信号である。
【００５２】
スイッチ部５は、入力電圧レベル検知部４１からのＡＣ入力電圧検知信号がパルス信号のとき、システム制御部３からバラスト２に出力されるランプ点灯指令信号を遮断しないように、スイッチを導通させる。
【００５３】
ＡＣ電源入力部７がＡＣ電源から引き抜かれると、プロジェクタ２００に供給されるＡＣ電源は、強制的に遮断される。このとき、入力電圧レベル検知部４１は、システム制御部３とスイッチ部５に対して、ハイレベルのＡＣ入力電圧検知信号を出力する。システム制御部３は、入力電圧レベル検知部４１からのＡＣ入力電圧検知信号がハイレベル信号になると、バラスト２へ出力されるランプ点灯指令信号を遮断する。
【００５４】
ここで、システム制御部３でのランプ消灯制御は、マイコンのプログラムにより実行される。ところが、マイコンのプログラムによるソフト的な消灯制御では、コンデンサ４８の蓄積電荷の放電量を少なくするのに十分速い制御を行えない場合がある。
【００５５】
そこで、本実施例のスイッチ部５は、入力電圧レベル検知部４１からハイレベルのＡＣ入力電圧検知信号が入力されると、バラスト２へ出力されるランプ点灯信号を遮断する。このとき、ランプ点灯信号はハード回路であるスイッチ部５により遮断されるため、高速な遮断制御を行うことができる。
【００５６】
このように本実施例では、プロジェクタ２００の電源部４へＡＣ入力電圧が供給されなくなると、システム制御部３のマイコンによるランプ点灯指令信号のソフト制御に加えて、スイッチ部５によるハード制御を行う。すなわち、プロジェクタ２００は、ＡＣ入力電圧が供給されなくなった場合、システム制御部３及びスイッチ部５の２箇所でランプ点灯指令信号の遮断制御を行う。
【００５７】
このため、本実施例は、コンデンサ４８の容量が小さい場合や不揮発性メモリ３２に記憶するデータが多い場合などに、特に有効である。
【００５８】
なお、プロジェクタ２００が、システム制御部３で動作されるソフトウエアによるランプ消灯制御だけで問題が生じない場合には、システム制御部３のみのランプ消灯制御だけでも構わない。このとき、スイッチ部５によるランプ消灯制御については省略することができ、参考例１と同様な構成となる。ここで、システム制御部３によるランプ消灯処理だけで問題無いか否かは、適用されるシステムによって異なる。このため、システム制御部３のみの制御で問題無いか否かをシステム毎に確認し、問題無いことが確認されれば、スイッチ部５による制御は削除できる。
【００５９】
以上、本発明の実施例について詳細に説明した。ただし、本発明は上記実施例で説明した事項に限定されるものではなく、本発明の技術思想を逸脱しない範囲で適宜変更が可能である。
【００６０】
例えば、上記実施例において、システム制御部３は、放電ランプ１を消灯する動作を行ってから不揮発性メモリ３２へのデータ記憶の動作を行うが、この順序でなくてもよい。電源部４に設けられたコンデンサ４８の容量が比較的大きい場合や、不揮発性メモリ３２へ記憶させるデータ量が比較的少ない場合には、順序を適宜変更できる。
【００６１】
システム制御部３は、不揮発性メモリ３２へのデータ記憶を指示した後であって、不揮発性メモリ３２へのデータ記憶が完了する前に、放電ランプ１を消灯するように指示することもできる。また、コンデンサ４８として大容量のコンデンサを用いれば、システム制御部３は、不揮発性メモリ３２へのデータ記憶が完了した後に、放電ランプ１を消灯するように指示することも可能である。
【００６２】
また、上記実施例では、入力電源としてＡＣ電源を用いる投射型表示装置について説明したが、これに代えて、入力電源としてＤＣ電源を用いる投射型表示装置を採用することもできる。
【００６３】
また、投射型表示装置が、システム制御部３に対するバックアップ用のサブ電源として、充放電可能な二次電池や電気二重層コンデンサ等を備えているものであってもよい。この場合、上記実施例を適用することにより、サブ電源でのバックアップ可能な時間をより長くすることができ、または、サブ電源を小型化できるようになる。
【００６４】
以上のとおり、上記実施例によれば、電源部に設けられたコンデンサを利用して揮発性メモリのデータを不揮発性メモリに記憶させるため、低コストで高信頼性の投射型表示装置を提供することができる。
【００６５】
また、ＡＣ電源が遮断したことを検知した場合には、まず光源である放電ランプを消灯し、その後に揮発性メモリのデータを不揮発性メモリに記憶させる。このため、電源部内に設けられたコンデンサに蓄積された電荷の放電時間を延ばすことができ、この延びた時間を利用して、揮発性メモリ内のデータを不揮発性メモリに記憶させることが可能になる。このため、従来のように、バックアップ専用のサブ電源を備える必要が無くなり、コスト低減、基板実装面積削減、信頼性の向上を図ることができる。
【００６６】
また、バックアップ用のサブ電源を備えた投射型表示装置においては、ＡＣ電源が遮断してからのバックアップできる時間をより長くすることができる。このため、バックアップ処理の内容を増加させることができ、または、バックアップ用のサブ電源の小型化を図ることができる。
【００６７】
また、スイッチ部を設けて、ＡＣ入力電圧検知信号に基づいて直接ハード的に光源の消灯を行うように構成すれば、システム制御部のマイコンの処理時間に依存しない、安定した素早い光源の消灯が可能になる。
【図面の簡単な説明】
【００６８】
【図１】参考例１におけるプロジェクタのブロック図である。
【図２】参考例１におけるプロジェクタの電源部のブロック図である。
【図３】参考例１におけるプロジェクタの電源部の波形図である。
【図４】参考例１におけるＡＣ入力電圧検知信号のＭＡＩＮ処理ルーチンを示すフローチャートである。
【図５】参考例１におけるＡＣ入力電圧検知信号によるエッジ割込みカウント処理ルーチンのフローチャートである。
【図６】参考例１においてＡＣ電源が遮断した場合の処理ルーチンのフローチャートである。
【図７】実施例１におけるプロジェクタのブロック図である。
【符号の説明】
【００６９】
１：放電ランプ
２：バラスト
３：システム制御部
４：電源部
５：スイッチ部
６：画像投射部
７：ＡＣ電源入力部
３１：揮発性メモリ
３２：不揮発性メモリ
４１：入力電圧レベル検知部
４８：コンデンサ
１００、２００：プロジェクタ
【図４】
0005241179.tif 000002
【図１】
0005241179.tif 000003
【図２】
0005241179.tif 000004
【図３】
0005241179.tif 000005
【図５】
0005241179.tif 000006
【図６】
0005241179.tif 000007
【図７】
0005241179.tif 000008